(57)【要約】【課題】バックライトの通常表示用の光源の動作系統に異常が生じた場合に、異常表示用の光源を点灯させて異常の旨を表示できる表示装置及びテレビジョン装置を提供する。【解決手段】通常表示用の光源（有色ＬＥＤ１ａ）の動作系統に異常が生じてメインマイコン３ｂがこの異常を検知した場合、通常表示に使用する系とは異なる制御系４ｉが起動して、バックライト１の異常表示用の白色ＬＥＤ１ｂの点灯を制御する第２ＬＥＤ制御信号がＬＥＤドライバ７の第２ＬＥＤドライバＩＣ７ｂに入力される。また、電源ユニット５は、第２電源制御信号に応じて、第２ＬＥＤ電源を生成し、生成された第２ＬＥＤ電源はＬＥＤドライバ７及びバックライト１へ供給される。そして、液晶パネル２０に、異常の旨が表示される。【選択図】図２
2012220786.tif 000002
【特許請求の範囲】
【請求項１】
バックライトと、該バックライトからの光を用いて画像表示を行う表示パネルとを備える表示装置において、
前記バックライトは、画像表示時に点灯する第１光源と、該第１光源の点灯に異常が生じた場合に点灯する第２光源とを有しており、
前記第２光源を点灯させて異常の旨を前記表示パネルに画像表示するように構成してあることを特徴とする表示装置。
【請求項２】
前記第１光源を駆動する第１駆動回路と、前記第１光源の駆動とは独立的に前記第２光源を駆動する第２駆動回路とを備えることを特徴とする請求項１記載の表示装置。
【請求項３】
第１光源に電圧を供給する第１電源と、該第１電源とは独立的に前記第２光源に電圧を供給する第２電源とを備えることを特徴とする請求項１または２記載の表示装置。
【請求項４】
前記第１光源の点灯を制御する第１制御系と、前記第１光源の点灯とは独立的に前記第２光源の点灯を制御する第２制御系とを備えることを特徴とする請求項１から請求項３までの何れかひとつに記載の表示装置。
【請求項５】
前記バックライトは、複数の前記第１光源と複数の前記第２光源とを有しており、該第２光源の数は該第１光源の数より少ないことを特徴とする請求項１から請求項４までの何れかひとつに記載の表示装置。
【請求項６】
前記第１光源は赤色，緑色，青色のＬＥＤであり、前記第２光源は白色のＬＥＤであることを特徴とする請求項１から請求項５までの何れかひとつに記載の表示装置。
【請求項７】
請求項１から請求項６までの何れかひとつに記載の表示装置を備えることを特徴とするテレビジョン装置。
【発明の詳細な説明】
【技術分野】
【０００１】
本発明は、バックライトと、バックライトからの光を用いて画像表示を行う表示パネルとを備える表示装置及びテレビジョン装置に関する。
【背景技術】
【０００２】
液晶表示装置は、非発光型の表示装置であるため、光源としてバックライトを備えており、液晶パネルに設けた液晶層へ印加する電圧を制御してバックライトからの光の液晶層における透過率を調整することにより画像を表示する（例えば、特許文献１）。
【０００３】
図６は、このような従来の液晶表示装置の構成例を模式的に示す断面図である。液晶表示装置２００は、バックライト１０と、バックライト１０から出射された光を用いて表示を行う液晶パネル２０とを備えている。バックライト１０と液晶パネル２０との間には、バックライト１０からの光を拡散する拡散シート１１が設けられている。
【０００４】
液晶パネル２０は、対向配置した一対の例えばガラス製の基板２１ａ，２１ｂと、両基板２１ａ，２１ｂ間に設けられた液晶層２２と、一対の基板２１ａ，２１ｂのそれぞれ液晶層２２側に設けられた一対の配向膜２３ａ，２３ｂとを有している。なお、一対の基板２１ａ，２１ｂには、液晶層２２に電圧を印加するための電極（共通電極，画素電極、図示せず）が形成されている。
【０００５】
バックライト１０は、マトリクス状に配列された複数の発光ダイオ−ド（ＬＥＤ）を光源として備えたＬＥＤアレイにて構成されている。ＬＥＤアレイは、具体的には、赤色ＬＥＤ、緑色ＬＥＤまたは青色ＬＥＤからなる有色ＬＥＤ１０ａを有している。バックライト１０からの光が、液晶パネル２０に照射されて、カラー表示に用いられる。
【０００６】
図７は、従来の液晶表示装置における制御システムの構成例を示すブロック図である。この制御システムは、バックライト１０と、液晶パネル２０と、メインコントローラ３０と、ＬＥＤバックライトコントローラ４０と、電源ユニット５０と、ＬＣＤコントローラ６０と、ＬＥＤドライバ７０とを備えている。
【０００７】
メインコントローラ３０は、液晶表示装置全体のシステムを制御しており、ビデオスケーラ３０ａと、メインマイコン（メインマイクロコンピュータ）３０ｂと、メインＩ／Ｆ３０ｃとを有する。ビデオスケーラ３０ａは、表示用の画像信号が入力され、該画像信号のフォーマットと解像度とを変換して画像データを生成する。メインＩ／Ｆ３０ｃは、ＬＥＤバックライトコントローラ４０（メインＩ／Ｆ４０ｃ）との間でデータ、信号などのやりとりを行い、画像データをＬＥＤバックライトコントローラ４０（メインＩ／Ｆ４０ｃ）へ出力する。メインマイコン３０ｂは、ビデオスケーラ３０ａ及びメインＩ／Ｆ３０ｃの動作、並びに液晶表示装置全体の動作を制御する。
【０００８】
ＬＥＤバックライトコントローラ４０は、液晶／バックライト制御ＩＣ４０ａと、マイコン（マイクロコンピュータ）４０ｂと、メインＩ／Ｆ４０ｃと、電源Ｉ／Ｆ４０ｄと、ＬＣＤＩ／Ｆ４０ｅと、ＬＣＤ電源Ｉ／Ｆ４０ｆと、ＬＥＤＩ／Ｆ４０ｇと、ＬＥＤ電源Ｉ／Ｆ４０ｈとを有する。
【０００９】
液晶／バックライト制御ＩＣ４０ａは、メインＩ／Ｆ４０ｃを介して入力された画像データを解析して、液晶パネル２０にて所望の画像表示を得るためのＬＣＤデータを作成するとともに、入力された画像データに基づいて、バックライト１０の点灯・消灯を制御するＬＥＤ制御信号を生成する。マイコン４０ｂは、液晶／バックライト制御ＩＣ４０ａ、電源ユニット５０、ＬＣＤコントローラ６０及びＬＥＤドライバ７０などの動作処理を制御する。
【００１０】
メインＩ／Ｆ４０ｃは、メインＩ／Ｆ３０ｃとの間でデータ、信号などのやりとりを行い、画像データをＬＥＤバックライトコントローラ４０内に入力する。また、メインＩ／Ｆ４０ｃは、メインマイコン３０ｂとマイコン４０ｂとの間の通信を行う。電源Ｉ／Ｆ４０ｄは、電源ユニット５０への電源制御信号の出力、電源ユニット５０からの種々の電源の入力などを行う。ＬＣＤＩ／Ｆ４０ｅは、ＬＣＤコントローラ６０（ＬＣＤＩ／Ｆ６０ａ）との間でデータ、信号などのやりとりを行い、ＬＣＤデータをＬＣＤコントローラ６０（ＬＣＤＩ／Ｆ６０ａ）へ出力する。ＬＣＤ電源Ｉ／Ｆ４０ｆは、電源Ｉ／Ｆ４０ｄにて入力されたＬＣＤ電源を、ＬＣＤコントローラ６０と液晶パネル２０とに供給する。ＬＥＤＩ／Ｆ４０ｇは、ＬＥＤドライバ７０（ＬＥＤＩ／Ｆ７０ｃ）との間でデータ、信号などのやりとりを行い、ＬＥＤ制御信号をＬＥＤドライバ７０（ＬＥＤＩ／Ｆ７０ｃ）へ出力する。ＬＥＤ電源Ｉ／Ｆ４０ｈは、電源Ｉ／Ｆ４０ｄにて入力されたＬＥＤ電源を、ＬＥＤドライバ７０とバックライト１０とに供給する。
【００１１】
電源ユニット５０は、ＬＥＤバックライトコントローラ４０からの電源制御信号に応じて、ＬＥＤバックライトコントローラ４０用のロジック電源、液晶パネル２０及びＬＣＤコントローラ６０用のＬＣＤ電源、並びに、バックライト１０及びＬＥＤドライバ７０用のＬＥＤ電源など、システムのすべての電源を生成する。生成された各種の電源は、ＬＥＤバックライトコントローラ４０（電源Ｉ／Ｆ４０ｄ）に出力される。
【００１２】
ＬＣＤコントローラ６０は、ＬＣＤＩ／Ｆ６０ａを有しており、ＬＥＤバックライトコントローラ４０（ＬＣＤＩ／Ｆ４０ｅ）からＬＣＤＩ／Ｆ６０ａにてＬＣＤデータを入力し、入力したＬＣＤデータに基づいて、液晶パネル２０の各画素に印加すべき電圧を決定する。そして、この電圧の印加によって、液晶パネル２０の液晶層２２の光透過率が調整されて、所望の画像が液晶パネル２０に表示される。
【００１３】
ＬＥＤドライバ７０は、ＬＥＤドライバＩＣ７０ａと、ＬＥＤＩ／Ｆ７０ｃとを有する。ＬＥＤＩ／Ｆ７０ｃは、ＬＥＤバックライトコントローラ４０（ＬＥＤＩ／Ｆ４０ｇ）からＬＥＤ制御信号を入力して、ＬＥＤドライバＩＣ７０ａにてバックライト１０の点灯（各有色ＬＥＤ１０ａの発光）を制御する。
【００１４】
バックライト１０は、赤色ＬＥＤ、緑色ＬＥＤまたは青色ＬＥＤからなる複数の有色ＬＥＤ１０ａが、前述したように、マトリクス状に配列されている。図８は、ＬＥＤドライバＩＣ７０ａと有色ＬＥＤ１０ａとの関係（有色ＬＥＤ１０ａの発光状態）を示す簡略図である。有色ＬＥＤ１０ａにＬＥＤ電源が印加されている状態で、ＬＥＤドライバＩＣ７０ａにＬＥＤオンを特定するＬＥＤ制御信号が入力された場合に、電圧がかかって電流が流れ、有色ＬＥＤ１０ａが発光する。
【先行技術文献】
【特許文献】
【００１５】
【特許文献１】特開２０１０−２８６８３８号公報
【発明の概要】
【発明が解決しようとする課題】
【００１６】
図７に示すような従来のシステム構成では、バックライト１０自体の異常（過度な温度上昇など）、バックライト１０の制御系（ＬＥＤドライバ７０、ＬＥＤ電源など）の異常が発生して、バックライト１０の有色ＬＥＤ１０ａの点灯が行えなくなった場合には、液晶パネル２０の制御系が正常であっても、画像表示が行えない。このような場合に、ユーザには何らの画像（情報）も提示されないため、ユーザに対して不親切であるという課題がある。
【００１７】
本発明は斯かる事情に鑑みてなされたものであり、通常表示に用いる光源（ＬＥＤ）とは別に、異常表示用の光源（ＬＥＤ）をバックライトに設けておくことにより、通常表示時のバックライトに支障が生じた場合に、その異常表示用の光源（ＬＥＤ）を点灯させて異常の旨を画像表示できる表示装置及びテレビジョン装置を提供することを目的とする。
【課題を解決するための手段】
【００１８】
本発明に係る表示装置は、バックライトと、該バックライトからの光を用いて画像表示を行う表示パネルとを備える表示装置において、前記バックライトは、画像表示時に点灯する第１光源と、該第１光源の点灯に異常が生じた場合に点灯する第２光源とを有しており、前記第２光源を点灯させて異常の旨を前記表示パネルに画像表示するように構成してあることを特徴とする。
【００１９】
本発明の表示装置によれば、通常の画像表示時に点灯する第１光源と、該第１光源の点灯に異常が生じた場合に点灯する第２光源とを、バックライトが別個に有している。通常時には、第１光源を点灯させて表示パネルにて画像表示を行う。そして、表示装置になんらかの故障が生じて、第１光源の点灯に異常が発生した場合には、第２光源を点灯させて、表示パネルに故障の旨を画像表示する。よって、異常発生時に、視認するユーザに異常の原因などが通知されるため、ユーザの利便性の向上を図れる。
【００２０】
本発明に係る表示装置は、前記第１光源を駆動する第１駆動回路と、前記第１光源の駆動とは独立的に前記第２光源を駆動する第２駆動回路とを備えることを特徴とする。
【００２１】
本発明の表示装置によれば、第１光源を駆動する第１駆動回路と、第２光源を駆動する第２駆動回路とを、別個に独立して設けている。よって、第１駆動回路が故障した場合においても、第２駆動回路の駆動により第２光源を点灯させることにより、表示パネルに異常の旨を画像表示することが可能である。
【００２２】
本発明に係る表示装置は、第１光源に電圧を供給する第１電源と、該第１電源とは独立的に前記第２光源に電圧を供給する第２電源とを備えることを特徴とする。
【００２３】
本発明の表示装置によれば、第１光源に電圧を供給する第１電源と、第２光源に電圧を供給する第２電源とを、別個に独立して設けている。よって、第１電源が故障した場合においても、第２電源からの電圧供給によって第２光源を点灯させることにより、表示パネルに異常の旨を画像表示することが可能である。
【００２４】
本発明に係る表示装置は、前記第１光源の点灯を制御する第１制御系と、前記第１光源の点灯とは独立的に前記第２光源の点灯を制御する第２制御系とを備えることを特徴とする。
【００２５】
本発明の表示装置によれば、第１光源の点灯を制御する第１制御系と、第２光源の点灯を制御する第２制御系とを、別個に独立して設けている。よって、第１制御系に異常が発生した場合においても、第２制御系を用いて第２光源を点灯させることにより、表示パネルに異常の旨を画像表示することが可能である。
【００２６】
本発明に係る表示装置は、前記バックライトは、複数の前記第１光源と複数の前記第２光源とを有しており、該第２光源の数は該第１光源の数より少ないことを特徴とする。
【００２７】
本発明の表示装置によれば、第２光源の数を該第１光源の数より少なくしている。第２光源を点灯するのは、異常の旨を表示するためであるため、画像の品質は重要ではない。そこで、第２光源の数を少なくすることにより、コストの低減化を図っている。
【００２８】
本発明に係る表示装置は、前記第１光源は赤色，緑色，青色のＬＥＤであり、前記第２光源は白色のＬＥＤであることを特徴とする。
【００２９】
本発明の表示装置によれば、第１光源として赤色，緑色，青色のＬＥＤを使用し、第２光源として白色のＬＥＤを使用している。第２光源を点灯するのは、異常の旨を表示するためであるため、画像の品質は重要ではない。そこで、白色のＬＥＤの使用により、コストの低減化を図っている。
【００３０】
本発明に係るテレビジョン装置は、上述したような何れかひとつの表示装置を備えることを特徴とする。
【００３１】
本発明のテレビジョン装置によれば、上述したような表示装置を用いて画像を表示する。
【発明の効果】
【００３２】
本発明の表示装置では、通常表示時に用いる第１光源とは別に、異常表示用の第２光源をバックライトに設けておき、第１光源の点灯に異常が発生した場合には、第２光源を点灯させて異常の旨を画像表示できるようにしたので、異常発生時に、視認するユーザに異常の原因などを通知できるため、ユーザへのサービスの向上を図ることができる。
【図面の簡単な説明】
【００３３】
【図１】本発明の液晶表示装置の構成例を模式的に示す断面図である。
【図２】本発明の液晶表示装置における制御システムの構成例を示すブロック図である。
【図３】本発明の液晶表示装置での通常表示用の第１ＬＥＤドライバＩＣと有色ＬＥＤとの関係（通常表示用のＬＥＤ（第１光源）の発光状態）を示す簡略図である。
【図４】本発明の液晶表示装置での異常表示用の第２ＬＥＤドライバＩＣと白色ＬＥＤとの関係（異常表示用のＬＥＤ（第２光源）の発光状態）を示す簡略図である。
【図５】本発明の液晶表示装置での異常の旨の表示例を示す図である。
【図６】従来の液晶表示装置の構成例を模式的に示す断面図である。
【図７】従来の液晶表示装置における制御システムの構成例を示すブロック図である。
【図８】従来の液晶表示装置でのＬＥＤドライバＩＣと有色ＬＥＤとの関係（有色ＬＥＤの発光状態）を示す簡略図である。
【発明を実施するための形態】
【００３４】
以下、本発明をその実施の形態を示す図面を参照して具体的に説明する。
【００３５】
図１は、本発明の液晶表示装置の構成例を模式的に示す断面図である。液晶表示装置１００は、バックライト１と、バックライト１から出射された光を用いて表示を行う表示パネルとしての液晶パネル２０とを備えている。バックライト１と液晶パネル２０との間には、バックライト１からの光を拡散する拡散シート１１が設けられている。
【００３６】
液晶パネル２０は、対向配置した一対の例えばガラス製の基板２１ａ，２１ｂと、両基板２１ａ，２１ｂ間に設けられた液晶層２２と、一対の基板２１ａ，２１ｂのそれぞれ液晶層２２側に設けられた一対の配向膜２３ａ，２３ｂとを有している。なお、一対の基板２１ａ，２１ｂには、液晶層２２に電圧を印加するための電極（共通電極，画素電極、図示せず）が形成されている。
【００３７】
バックライト１は、マトリクス状に配列された複数のＬＥＤを光源として備えたＬＥＤアレイにて構成されている。ＬＥＤアレイは、具体的には、第１光源としての有色ＬＥＤ１ａ（赤色ＬＥＤ、緑色ＬＥＤまたは青色ＬＥＤ）と、第２光源としての白色ＬＥＤ１ｂとを有している。そして、通常の画像表示を行う場合には、有色ＬＥＤ１ａが点灯されてバックライト１からの光が、液晶パネル２０に照射されて、通常のカラー表示に用いられる。一方、異常の旨（エラーメッセージ）の画像表示を行う場合には、白色ＬＥＤ１ｂが点灯されてバックライト１からの光が、液晶パネル２０に照射されて、異常表示に用いられる。
【００３８】
図２は、本発明の液晶表示装置における制御システムの構成例を示すブロック図である。この制御システムは、バックライト１と、液晶パネル２０と、メインコントローラ３と、ＬＥＤバックライトコントローラ４と、電源ユニット５と、ＬＣＤコントローラ６０と、ＬＥＤドライバ７とを備えている。なお、図２における液晶パネル２０及びＬＣＤコントローラ６０は、前述した図７の液晶パネル２０及びＬＣＤコントローラ６０と同様の構成・作用を有する。
【００３９】
メインコントローラ３は、液晶表示装置全体のシステムを制御しており、ビデオスケーラ３ａと、メインマイコン（メインマイクロコンピュータ）３ｂと、メインＩ／Ｆ３ｃとを有する。ビデオスケーラ３ａは、表示用の画像信号が入力され、該画像信号のフォーマットと解像度とを変換して画像データを生成する。メインＩ／Ｆ３ｃは、ＬＥＤバックライトコントローラ４（メインＩ／Ｆ４ｃ）との間でデータ、信号などのやりとりを行い、生成された画像データをＬＥＤバックライトコントローラ４（メインＩ／Ｆ４ｃ）へ出力する。メインマイコン３ｂは、ビデオスケーラ３ａ及びメインＩ／Ｆ３ｃの動作、並びに液晶表示装置全体の動作を制御する。また、メインマイコン３ｂは、異常表示用の種々の画像データを予め格納している。
【００４０】
ＬＥＤバックライトコントローラ４は、液晶／バックライト制御ＩＣ４ａと、マイコン（マイクロコンピュータ）４ｂと、メインＩ／Ｆ４ｃと、電源Ｉ／Ｆ４ｄと、ＬＣＤＩ／Ｆ４ｅと、ＬＣＤ電源Ｉ／Ｆ４ｆと、ＬＥＤＩ／Ｆ４ｇと、ＬＥＤ電源Ｉ／Ｆ４ｈとを有する。ＬＥＤバックライトコントローラ４には、図７に示す従来例のＬＥＤバックライトコントローラ４０と比較して、マイコン４ｂ、メインＩ／Ｆ４ｃ、電源Ｉ／Ｆ４ｄ及びＬＥＤＩ／Ｆ４ｇの間で、データ、信号などのやりとりを行うための第２制御系としての制御系４ｉが追加して設けられている。この制御系４ｉは、異常の旨の画像表示を行う際に使用される。
【００４１】
液晶／バックライト制御ＩＣ４ａは、メインＩ／Ｆ４ｃを介して入力された画像データを解析して、液晶パネル２０にて所望の画像表示を得るためのＬＣＤデータを作成するとともに、入力された画像データに基づいて、バックライト１の有色ＬＥＤ１ａの点灯・消灯を制御する第１ＬＥＤ制御信号を生成する。マイコン４ｂは、液晶／バックライト制御ＩＣ４ａ、電源ユニット５、ＬＣＤコントローラ６０及びＬＥＤドライバ７などの動作処理を制御する。
【００４２】
メインＩ／Ｆ４ｃは、メインＩ／Ｆ３ｃとの間でデータ、信号などのやりとりを行い、画像データ（通常表示用の画像データまたは異常表示用の画像データ）をＬＥＤバックライトコントローラ４内に入力する。また、メインＩ／Ｆ４ｃは、メインマイコン３ｂとマイコン４ｂとの間の通信を行う。
【００４３】
電源Ｉ／Ｆ４ｄは、電源ユニット５への電源制御信号の出力、電源ユニット５からの種々の電源の入力などを行う。ＬＣＤＩ／Ｆ４ｅは、ＬＣＤコントローラ６０（ＬＣＤＩ／Ｆ６０ａ）との間でデータ、信号などのやりとりを行い、ＬＣＤデータをＬＣＤコントローラ６０（ＬＣＤＩ／Ｆ６０ａ）へ出力する。ＬＣＤ電源Ｉ／Ｆ４ｆは、電源Ｉ／Ｆ４ｄにて入力されたＬＣＤ電源を、ＬＣＤコントローラ６０と液晶パネル２０とに供給する。
【００４４】
ＬＥＤＩ／Ｆ４ｇは、ＬＥＤドライバ７（ＬＥＤＩ／Ｆ７ｃ）との間でデータ、信号などのやりとりを行い、第１ＬＥＤ制御信号、またはバックライト１の白色ＬＥＤ１ｂの点灯・消灯を制御する第２ＬＥＤ制御信号をＬＥＤドライバ７（ＬＥＤＩ／Ｆ７ｃ）へ出力する。ここで、第１ＬＥＤ制御信号は通常の画像表示を行う場合に出力され、第２ＬＥＤ制御信号は異常の旨の画像表示を行う場合に出力される。なお、第２ＬＥＤ制御信号は、メインマイコン３ｂまたはマイコン４ｂにて生成される。
【００４５】
ＬＥＤ電源Ｉ／Ｆ４ｈは、電源Ｉ／Ｆ４ｄにて入力された第１ＬＥＤ電源または第２ＬＥＤ電源を、ＬＥＤドライバ７とバックライト１とに供給する。ここで、第１ＬＥＤ電源は通常の画像表示を行う場合に供給され、第２ＬＥＤ電源は異常の旨の画像表示を行う場合に供給される。
【００４６】
電源ユニット５は、通常の画像表示を行う場合に、ＬＥＤバックライトコントローラ４からの第１電源制御信号に応じて、ＬＥＤバックライトコントローラ４用のロジック電源、液晶パネル２０及びＬＣＤコントローラ６０用のＬＣＤ電源、並びに、バックライト１及びＬＥＤドライバ７用の第１ＬＥＤ電源を生成する。また、電源ユニット５は、異常の旨の画像表示を行う場合に、ＬＥＤバックライトコントローラ４からの第２電源制御信号に応じて、ＬＥＤバックライトコントローラ４用のロジック電源、液晶パネル２０及びＬＣＤコントローラ６０用のＬＣＤ電源、並びに、バックライト１及びＬＥＤドライバ７用の第２ＬＥＤ電源を生成する。生成された各種の電源は、ＬＥＤバックライトコントローラ４（電源Ｉ／Ｆ４ｄ）に出力される。
【００４７】
ＬＣＤコントローラ６０は、ＬＣＤＩ／Ｆ６０ａを有しており、ＬＥＤバックライトコントローラ４（ＬＣＤＩ／Ｆ４ｅ）からＬＣＤＩ／Ｆ６０ａにてＬＣＤデータを入力し、入力したＬＣＤデータに基づいて、液晶パネル２０の各画素に印加すべき電圧を決定する。そして、この電圧の印加によって、液晶パネル２０の液晶層２２の光透過率が調整されて、所望の画像が液晶パネル２０に表示される。
【００４８】
ＬＥＤドライバ７は、第１ＬＥＤドライバＩＣ７ａと、第２ＬＥＤドライバＩＣ７ｂと、ＬＥＤＩ／Ｆ７ｃとを有する。ＬＥＤＩ／Ｆ７ｃは、通常の画像表示を行う場合に、ＬＥＤバックライトコントローラ４（ＬＥＤＩ／Ｆ４ｇ）から第１ＬＥＤ制御信号を入力して、第１ＬＥＤドライバＩＣ７ａにてバックライト１の点灯（有色ＬＥＤ１ａの発光）を制御する。また、ＬＥＤＩ／Ｆ７ｃは、異常の旨の画像表示を行う場合に、ＬＥＤバックライトコントローラ４（ＬＥＤＩ／Ｆ４ｇ）から第２ＬＥＤ制御信号を入力して、第２ＬＥＤドライバＩＣ７ｂにてバックライト１の点灯（白色ＬＥＤ１ｂの発光）を制御する。
【００４９】
バックライト１は、前述したように、複数の有色ＬＥＤ１ａ（赤色ＬＥＤ、緑色ＬＥＤまたは青色ＬＥＤ）と、複数の白色ＬＥＤ１ｂとが、マトリクス状に配置されている。白色ＬＥＤ１ｂの個数は有色ＬＥＤ１ａの個数より少ない。
【００５０】
図３は、第１ＬＥＤドライバＩＣ７ａと有色ＬＥＤ１ａとの関係（通常表示用の有色ＬＥＤ１ａの発光状態）を示す簡略図である。有色ＬＥＤ１ａに第１ＬＥＤ電源が印加されている状態で、第１ＬＥＤドライバＩＣ７ａにＬＥＤオンを特定する第１ＬＥＤ制御信号が入力された場合に、電圧がかかって電流が流れ、有色ＬＥＤ１ａが発光する。
【００５１】
一方、図４は、第２ＬＥＤドライバＩＣ７ｂと白色ＬＥＤ１ｂとの関係（異常表示用の白色ＬＥＤ１ｂの発光状態）を示す簡略図である。白色ＬＥＤ１ｂに第２ＬＥＤ電源が印加されている状態で、第２ＬＥＤドライバＩＣ７ｂにＬＥＤオンを特定する第２ＬＥＤ制御信号が入力された場合に、電圧がかかって電流が流れ、白色ＬＥＤ１ｂが発光する。
【００５２】
以下、本発明の液晶表示装置の動作について説明する。まず、通常の画像表示処理に関して説明する。
【００５３】
表示用の画像信号がメインコントローラ３のビデオスケーラ３ａに入力されて、ビデオスケーラ３ａは画像信号に基づいて画像データを生成する。生成された画像データはＬＥＤバックライトコントローラ４に入力されて、液晶／バックライト制御ＩＣ４ａは液晶パネル２０にて所望の画像表示を得るためのＬＣＤデータを作成する。作成されたＬＣＤデータは、ＬＣＤコントローラ６０に入力される。ＬＣＤコントローラ６０は、入力されたＬＣＤデータに基づいて、液晶パネル２０の各画素に印加すべき電圧を決定する。
【００５４】
また、液晶／バックライト制御ＩＣ４ａは、入力された画像データに基づいて、第１ＬＥＤ制御信号を生成する。生成された第１ＬＥＤ制御信号は、ＬＥＤドライバ７の第１ＬＥＤドライバＩＣ７ａに入力される。第１ＬＥＤドライバＩＣ７ａは、この第１ＬＥＤ制御信号に応じて、バックライト１の点灯（有色ＬＥＤ１ａの発光）を制御する。
【００５５】
一方、ＬＥＤバックライトコントローラ４から、第１電源制御信号が電源ユニット５へ出力される。電源ユニット５は、この第１電源制御信号に応じて、ロジック電源、ＬＣＤ電源、及び、第１ＬＥＤ電源を生成する。生成されたロジック電源は、ＬＥＤバックライトコントローラ４へ供給される。生成されたＬＣＤ電源は、ＬＥＤバックライトコントローラ４を介して、ＬＣＤコントローラ６０及び液晶パネル２０へ供給される。生成された第１ＬＥＤ電源は、ＬＥＤバックライトコントローラ４を介して、ＬＥＤドライバ７及びバックライト１へ供給される。
【００５６】
そして、画像信号に応じた液晶パネル２０の液晶層２２への電圧印加処理と、画像信号に応じたバックライト１（有色ＬＥＤ１ａ）の点灯制御処理とを同期させることにより、画像信号に基づいた画像が液晶表示装置に表示される。
【００５７】
次に、通常の画像表示に使用するバックライト１の動作系統に異常が発生した場合の画像表示処理に関して説明する。バックライト１の動作系統の異常としては、バックライト１（有色ＬＥＤ１ａ）自体の異常（ＬＥＤオープンエラー、温度の急激な上昇など）、第１ＬＥＤドライバＩＣ７ａの異常、ＬＥＤバックライトコントローラ４（液晶／バックライト制御ＩＣ４ａまたはマイコン４ｂ）の異常、電源ユニット５における第１ＬＥＤ電源の生成異常などが存在する。
【００５８】
このようなバックライト１の動作系統に異常が発生した場合に、メインマイコン３ｂがこの異常を検知する。異常が検知されると、メインマイコン３ｂは、予め格納している複数の異常表示用の画像データの中から、検知した異常の内容に合致した画像データを読み出す。読み出された画像データはＬＥＤバックライトコントローラ４に入力されて、液晶パネル２０にて所望の画像表示を得るためのＬＣＤデータが作成される。作成されたＬＣＤデータは、ＬＣＤコントローラ６０に入力される。ＬＣＤコントローラ６０は、入力されたＬＣＤデータに基づいて、液晶パネル２０の各画素に印加すべき電圧を決定する。
【００５９】
異常が検知された場合、その旨がＬＥＤバックライトコントローラ４に伝えられて、通常表示に使用する制御系 (第１制御系）とは異なる制御系４ｉ（第２制御系、図２の太線）が起動される。そして、バックライト１の白色ＬＥＤ１ｂの点灯を制御する第２ＬＥＤ制御信号が生成される。生成された第２ＬＥＤ制御信号は、ＬＥＤドライバ７の第２ＬＥＤドライバＩＣ７ｂに入力される。第２ＬＥＤドライバＩＣ７ｂは、この第２ＬＥＤ制御信号に応じて、バックライト１の点灯（白色ＬＥＤ１ｂの発光）を制御する。
【００６０】
一方、ＬＥＤバックライトコントローラ４から、第２電源制御信号が電源ユニット５へ出力される。電源ユニット５は、この第２電源制御信号に応じて、ロジック電源、ＬＣＤ電源、及び、第２ＬＥＤ電源を生成する。生成されたロジック電源は、ＬＥＤバックライトコントローラ４へ供給される。生成されたＬＣＤ電源は、ＬＥＤバックライトコントローラ４を介して、ＬＣＤコントローラ６０及び液晶パネル２０へ供給される。生成された第２ＬＥＤ電源は、ＬＥＤバックライトコントローラ４を介して、ＬＥＤドライバ７及びバックライト１へ供給される。
【００６１】
そして、異常の旨を示す画像データに応じた液晶パネル２０の液晶層２２への電圧印加処理と、該画像データに応じたバックライト１（白色ＬＥＤ１ｂ）の点灯制御処理とを同期させることにより、その画像データに基づいた画像が液晶表示装置に表示される。
【００６２】
図５は、異常の旨を示す画像の表示例を示す図である。図５に示す例では、バックライト１（有色ＬＥＤ１ａ）に温度異常が生じている旨が表示されている。なお、このように具体的な異常内容を表示するのではなく、異常の種類を示す記号、バーコードなどを表示しても良い。
【００６３】
本発明の液晶表示装置では、通常の画像表示時に用いるバックライト１（有色ＬＥＤ１ａ）の発光処理系統に異常が発生した場合に、この発光処理系統とは別個に独立して設けてあるバックライト１（白色ＬＥＤ１ｂ）の発光処理系統を起動させて、その異常の旨を液晶パネル２０に表示してユーザに知らせることが可能である。よって、ユーザへのサービスを向上することができる。
【００６４】
上述した実施の形態では、異常表示用の画像データをメインマイコン３ｂに格納しておくようにしたが、これとは異なり、メインマイコン３ｂが異常表示用の画像データを作成するようにしても良く、または、通常の画像表示における画像データと同様に、外部からメインコントローラ３に異常表示用の画像データを入力するようにしても良い。
【００６５】
上述した実施の形態では、異常の旨を表示する際に用いる第２光源として白色のＬＥＤを使用するようにしたが、通常表示の際と同様に、有色のＬＥＤを使用しても良い。
【００６６】
なお、上述した実施の形態では液晶表示装置を例として説明したが、これは一例であり、バックライトを有する他の種類の表示装置にも本発明を適用することができる。また、上述した実施の形態の表示装置は、テレビジョン装置で画像を表示する機能を果たす装置としての利用が有効である。
【符号の説明】
【００６７】
１  バックライト
１ａ  有色ＬＥＤ（第１光源）
１ｂ  白色ＬＥＤ（第２光源）
３  メインコントローラ
３ｂ  メインマイコン
４  ＬＥＤバックライトコントローラ
４ａ  液晶／バックライト制御ＩＣ
４ｂ  マイコン
４ｉ  制御系
５  電源ユニット
７  ＬＥＤドライバ
７ａ  第１ＬＥＤドライバＩＣ（第１駆動回路）
７ｂ  第２ＬＥＤドライバＩＣ（第２駆動回路）
２０  液晶パネル（表示パネル）
【図１】
2012220786.tif 000003
【図２】
2012220786.tif 000004
【図３】
2012220786.tif 000005
【図４】
2012220786.tif 000006
【図５】
2012220786.tif 000007
【図６】
2012220786.tif 000008
【図７】
2012220786.tif 000009
【図８】
2012220786.tif 000010